(57)【要約】【目的】窓枠への取付け作業を容易にするための、窓用空気調和機の取付け枠の伸縮部の固定構造に関する。【構成】外枠１と外枠１内に嵌合して上下にスライドする内枠２とで伸縮する縦枠３を構成し、該縦枠３と縦枠３の上部と下部に固定する横枠４とで四角枠Ｂを形成する。四角枠Ｂを窓枠に固定するときは窓サッシの高さに合わせて内枠２を上方にスライドさせて引き伸ばして位置決めする。内枠２から手を離すと内枠２がその自重で下動しようとするが、外枠１の横桟５の端と内枠２との間に形成した間隙７内に可動体８の先端楔部８ｂが食い込んで内枠２の下動を止めるので、内枠２は上昇位置から降下せず仮止めできる。その後、固定手段６によって外枠１と内枠２を固定して窓に設置し、外枠１と外枠１の上部を連結する横桟５と下部の横枠４とで形成する装着枠Ｃに窓用空気調和機Ａを取付ける。【選択図】          図１
2005024125.tif 000002
【特許請求の範囲】
【請求項１】
窓用空気調和機Ａの左右の側部を支持する外枠１と、この外枠１内に嵌合して上下にスライド自在となる内枠２とで伸縮する縦枠３を構成し、
かつ、この伸縮する縦枠３の上部と下部に固定される一対の横枠４を備え、該縦枠３と横枠４とで窓に固定できる四角枠Ｂを形成すると共に、
左右の外枠１の上部を連結する横桟５を設け、該横桟５と左右の外枠１と下部の横枠４とによって窓用空気調和機Ａの装着枠Ｃを形成し、前記外枠１には内部をスライドする内枠２に向けて固定手段６を取付け、窓の上部に向けて伸ばした内枠２を固定手段６によって外枠１に固定する空気調和機の窓枠において、
前記外枠１に取付けた横桟５の端とスライドする内枠２との間に間隙７を形成し、この間隙７内に先端を位置して出入り自在となる可動体８を設け、
該可動体８は内枠２の上動に対して抵抗とならず、下動に対して楔状になって間隙７に食い込んで内枠２の下動を停止しており、
前記内枠２は間隙７に食い込んだ可動体８によって上昇位置に仮止めされ、その後前記固定手段６によって外枠１に固定されることを特徴とする窓用空気調和機の取付け枠構造。
【請求項２】
前記可動体８には操作部８ａと先端楔部８ｂとを設け、可動体８は操作部８ａによって先端楔部８ｂが内枠２から離開方向に動いて内枠２が円滑に下動できる請求項１記載の窓用空気調和機の取付け枠構造。
【請求項３】
前記可動体８の先端楔部８ｂは下部が間隙７よりも狭く上部が間隙７よりも広い弾性素材で形成し、該可動体８は重力で先端楔部８ｂを間隙７内に位置させたことを特徴とする請求項１記載の窓用空気調和機の取付け枠構造。
【請求項４】
前記可動体８に回動中心８ｃを形成し、横桟５の両端に前記可動体８の回動中心８ｃを支える穴を有するブラケット５ａを形成し、可動体８の先端楔部８ｂは回動中心８ｃを中心に回動して前記間隙７に内に位置させたことを特徴とする請求項１記載の窓用空気調和機の取付け枠構造
【発明の詳細な説明】
【０００１】
【産業上の利用分野】
この発明は、窓用空気調和機の伸縮する窓枠の伸縮部の固定構造に関するものである。
【０００２】
【従来の技術】
従来、窓用空気調和機を窓へ取付けるための窓枠は、窓用空気調和機の左右に対応して配置した２本の外枠と、この外枠内に嵌合して上下にスライド自在となる内枠とを設け、この外枠と内枠とで縦枠を構成している。そして、この内枠の上部同士、外枠の下部同士を繋げるように固定する上下一対の横枠を設け、左右の縦枠と、上下一対の横枠によって上下方向に長さを変えることができる四角枠が構成できる。
【０００３】
また、２本の外枠の上部にはこの外枠同士を連結する横桟を設けており、この横桟と、外枠の下部同士を繋げた前記横枠と、左右の外枠とによって窓用空気調和機の装着枠を構成している。したがって、左右の外枠が窓用空気調和機の左右の側部を支持し、横桟と下部の横枠が窓用空気調和機の上下を支持して、窓用空気調和機を装着枠に固定することができる。
【０００４】
そして、この四角枠を窓に取付けるに当たり、外枠上部の横桟と内枠上部の横枠との間に蛇腹状の封鎖板を介在させ、また、窓の高さに合わせて伸ばした内枠の位置が変わらないように、前記外枠には内部をスライドする内枠に向けて固定手段を構成するネジを取付けており、窓の上部にむけて伸ばした内枠は固定手段によって固定できるようになっている。
【０００５】
したがって窓用空気調和機の窓枠は下部の横枠を窓サッシの立ち上がり部に載せながら、四角枠の縦枠を窓の一方の側部に押し付け、縦枠を構成する内枠を上方に引き伸ばして窓サッシ上部の立ち上がり部に横枠の一部をはめ込んで、窓の高さに応じて内枠の位置を決め、この内枠が落下しないように手で支えた状態で外枠に取付けられたネジ等の固定手段によって縦枠の長さを固定する。このため、内枠上部の横枠は窓の上部に押し付けられて四角枠の高さが変わるから、様々の高さの窓に窓用空気調和機を設置するための窓枠の取付けが可能になる。
【０００６】
そして、内枠の上部の横枠と横桟との間は伸び縮みできる封鎖板でふさがれており、外枠上部の横桟と下部の横枠と両外枠とで構成する装着枠に空気調和機を取付けることができる。
【０００７】
【発明が解決しようとする課題】
しかしながら、この方法では取付け作業者が一人の場合、また、取付け場所が狭い等の作業環境が整っていない場合を考慮した時、内枠を引き伸ばし、かつその引き伸ばした状態を片手で支えたまま維持しつつネジ等による固定手段を用いて枠の固定を行なわなければならないために、せっかく伸ばした内枠が緩んで少し戻り、固定状態にも係わらずガタつく場合が多かった。
【０００８】
【課題を解決するための手段】
この発明は上記課題を解決するもので、窓用空気調和機Ａの左右の側部を支持する外枠１と、この外枠１内に嵌合して上下にスライド自在となる内枠２とで伸縮する縦枠３を構成し、かつ、この伸縮する縦枠３の上部と下部に固定される一対の横枠４を備え、該縦枠３と横枠４とで窓に固定できる四角枠Ｂを形成すると共に、左右の外枠１の上部を連結する横桟５を設け、該横桟５と左右の外枠１と下部の横枠４とによって窓用空気調和機Ａの装着枠Ｃを形成し、前記外枠１には内部をスライドする内枠２に向けて固定手段６を取付け、窓の上部に向けて伸ばした内枠２を固定手段６によって外枠１に固定する空気調和機の窓枠において、前記外枠１に取付けた横桟５の端とスライドする内枠２との間に間隙７を形成し、この間隙７内に先端を位置して出入り自在となる可動体８を設け、該可動体８は内枠２の上動に対して抵抗とならず、下動に対して楔状になって間隙７に食い込んで内枠２の下動を停止しており、前記内枠２は間隙７に食い込んだ可動体８によって上昇位置に仮止めされ、その後前記固定手段６によって外枠１に固定されることを特徴とする。
【０００９】
また、前記可動体８には操作部８ａと先端楔部８ｂとを設け、可動体８は操作部８ａによって先端楔部８ｂが内枠２から離開方向に動いて内枠２が円滑に下動できるようにしたから、操作部８ａによって可動体８を操作したときには内枠２を縮小することができる。
【００１０】
また、前記可動体８の先端楔部８ｂは下部が間隙７よりも狭く上部が間隙７よりも広い弾性素材で形成し、該可動体８は重力で下部を間隙７内に位置させたので、内枠２が下降しようとすると可動体８が直ちに間隙７に食い込んで内枠２の動きを止める。
【００１１】
更に、前記可動体８に回動中心８ｃを形成し、横桟５の両端に前記可動体８の回動中心８ｃを支える穴を有するブラケット５ａを形成し、可動体８の先端楔部８ｂは回動中心８ｃを中心に回動して前記間隙７に内に位置させたので、この間隙７に食い込んだ可動体８の先端楔部８ｂは前記操作部８ａを操作して可動体８の回動中心８ｃを軸心として回動させれば、きつく食い込んだ先端楔部８ｂであっても内枠２から離すことができる。
【００１２】
【作用】
この発明では、窓用空気調和機を取付けの際に、窓サッシの高さに合わせて内枠２を上方にスライドさせて引き伸ばし、位置決めした後に手を離すと従来では内枠２がその自重で元の位置に向けて縮もうとするが、この発明では外枠１の横桟５の端と内枠２との間の間隙７に可動体８の先端楔部８ｂが入り込むことにより、内枠２は上昇位置から降下できずにそのまま仮止めできる。その後、固定手段６によって外枠１と内枠２を強固に固定するものである。
【００１３】
【実施例】
実施例を示す図によってこの構成を説明すると、Ａはアルミサッシ窓枠などに取付けして室内に冷風を吹出すことができる窓用空気調和機、Ｂは窓枠の側部に配置されて上部と下部とが窓枠に固定される四角枠、Ｃは四角枠Ｂの内側に設けた前記窓用空気調和機Ａが取付けられる装着枠であり、前記四角枠Ｂが窓枠に取付けられてから、この四角枠Ｂの内側の装着枠Ｃに窓用空気調和機Ａが取付けられる。９は装着枠Ｃの上方で四角枠Ｂとの間のスペースを封鎖する封鎖板であり、四角枠Ｂの内部は窓用空気調和機Ａと封鎖板９とで閉じられ、ガラス窓は片側が四角枠Ｂに当接する状態まで閉じられることで、閉じた室内空間を作り出すことができる。
【００１４】
上記のように窓枠に前記窓用空気調和機Ａを取付けるための取付け枠において、１は空気調和機Ａの左右の側部を支持する外枠、２は外枠１内に嵌合して上下にスライド可能に取付けられた内枠、３は外枠１と内枠２とで構成する伸縮自在の縦枠、４は並列された内枠２の上部と外枠１の下部とを一体に固定するための一対の横枠であり、一対の縦枠３と一対の横枠４によって、前記四角枠Ｂを構成している。
【００１５】
５は左右の外枠１の上部を連結する横桟であり、該横桟５と外枠１の下部の横枠４と一対の外枠１とによって、前記装着枠Ｃを構成している。１０は外枠１の下部の横枠４の下面に取付けた下部取付け片、１１は内枠２の上部の横枠４の上面に取付けた上部取付け片であり、四角枠Ｂは下部取付け片１０を窓サッシの立ち上がり部に載せて係止した状態で、この四角枠Ｂの縦枠３を窓の一方の側部に押し付けながら、伸縮する内枠２を上方に引き伸ばし、窓サッシ上部の立ち上がり部に上部取付け片１１をはめ込むことができる。
【００１６】
６はスライドする内枠２を外枠１に固定するために外枠１に取付けられた固定手段であり、前記引き伸ばされた内枠２によって上部取付け片１１が窓サッシ上部の立ち上がり部にはめ込まれた状態で、ネジなどで構成する前記固定手段６よって内枠２と外枠１とを固定して四角枠Ｂを窓枠に取付け、その後、四角枠Ｂの内側の装着枠Ｃに窓用空気調和機Ａを取付ける。
【００１７】
上記構成の窓枠は、固定前にはその自重で降りてきてしまう内枠２が落下しないように引き伸ばし、かつその引き伸ばした状態を片手で支えたまま維持しつつ外枠１に取付けられたネジによる固定手段６によって縦枠３の長さを固定していた。その為、この方法だと取付け作業者が一人の場合、また取付け場所が狭い等の作業環境が整っていない場合には、せっかく伸ばした内枠２が緩んで少し戻り、固定状態にも係らずガタつく場合が多かった。
【００１８】
この発明は上記の問題点を解決するもので、図２及び図３に示す実施例において、７は外枠１に取付けた横桟５の両端とスライドする内枠２との間に形成した間隙、１２は間隙７に近い横桟５の上に設置した保持突起、８は横桟５の保持突起１２に保持されながら上下動と側方への移動ができる可動体、８ｂは可動体８の先端楔部であり、前記間隙７内には可動体８の先端楔部８ｂが嵌合している。前記内枠２を上動するときには間隙７内で接触する可動体８の先端楔部８ｂは、可動体８が保持突起１２に保持されたまま内枠２と一緒に持ち上がるので楔効果は発揮されず、可動体８に先端楔部８ｂが存在しても内枠２の上動に対して抵抗とならない。しかし、内枠２が下動しようとすると可動体８の先端楔部８ｂが間隙７を構成する内枠２に押し付けられる方向に動き、可動体８の一部が楔状になって間隙７に食い込むから内枠２は下動することができなくなる。
【００１９】
したがって、内枠２は引き上げるだけでこの位置にそのまま仮止めできるから、作業者はこの引き上げられた状態を維持するために内枠２を手で支え続ける必要がなくなり、手を内枠２から離すことができたから、両手で固定手段６を操作して内枠２と外枠１とを強固に固定することができ、一人の作業者で正確に空気調和機の取付け枠を窓に固定することができた。
【００２０】
また、図５に示す実施例において、８ｃは間隙７に近い横桟５の上に設置した可動体８の回動中心であり、前記内枠２と外枠１との間隙７内に先端楔部８ｂを位置させた可動体８は回転中心８ｃを支点として起伏自在に可動することができる。
【００２１】
したがって、内枠２を窓サッシ上部の立ち上がり部まで引き伸ばし操作中は、前記先端楔部８ｂは内枠２と一緒に持ち上がって、可動体８は起きた状態となるから、先端楔部８ｂが存在しても内枠２の上動に対して抵抗とならない。また、次に内枠２が下動しようとすると可動体８の先端楔部８ｂは回転中心８ｃを支点として回動しながら楔状になって間隙７に食い込むから、内枠２は下動することができなくなる。このため、上記の実施例と同様に内枠２は引き上げるだけでこの位置にそのまま仮止めできて、内枠２から手を離して両手で固定手段６を操作して内枠２と外枠１とを強固に固定することができるようになった。
【００２２】
また、図２及び図３に示す実施例において、８ａは先端楔部８ｂを備えた可動体８に設けた保持突起１２よりも内側方向に伸びた操作部であり、可動体８は通常状態ではスライド下降しようとする内枠２と横桟５の両端で構成された間隙７に嵌合し、楔効果が発揮されることで内枠２の降下を防止している。そして、固定された内枠２を縮める場合には、この操作部８ａを離開方向に動かすことによって間隙７に食い込んでいた可動体８の先端楔部８ｂと内枠２との嵌合が緩み、先端楔部８ｂが接触しなくなって内枠２は自重でスライド下降する。
【００２３】
先端楔部８ｂを設けた可動体８が内枠２と横桟５の両端との間に形成した間隙７に食い込んだ時、内枠２を上方に持ち上げることで解除はされるが、持ち上げた手を離した時点で内枠２がスライド下降し、再び可動体８の先端楔部８ｂが食い込み固定されてしまう。この発明では可動体８に操作部８ａを設けたので、この操作部８ａを動かせば内枠２と先端楔部８ｂが離れ、簡単に内枠２をスライド下降させることができる。また、操作部８ａから任意の箇所で指を離すことにより、即内枠２を再度固定することが可能となり、窓枠よりもやや小さい状態で内枠２を固定できるから、作業性の向上を図る共に可動体８の実用性の向上も図ることが出来る。
【００２４】
また、前記可動体８は弾性素材で形成して、先端楔部８ｂの下部が嵌合する内枠２と横桟５とで構成された間隙７よりも狭く、上部が間隙７より広い形状となっており、また、この間隙７は垂直縦方向に真っ直ぐ伸びる構造としたから、可動体８は初めに下部の先端楔部８ｂが間隙７に入り込み、徐々に上部が入り込むにつれ内枠２を嵌合する力が大きくなり、先端楔部８ｂの全体が入り込んだ頃内枠２と外枠１が完全に固定される。
【００２５】
このように下部を間隙７より狭く上部を広くしたこの形状は非常に簡素であるにも係わらず確実に間隙７に食い込み楔効果を果たすことができた。また、この部品は弾性素材で形成されている為、可動体８が間隙７との間に一層隙間を生じることなく入り込み、より楔形状の効果を上げることができる。
【００２６】
図５に示す実施例において、５ａは横桟５に設けたブラケットであり、該ブラケット５ａの軸孔は支軸で構成する前記可動体８の回動中心８ｃを支えている。前記可動体８の先端楔部８ｂは回動中心８ｃを支軸として回動して、前記間隙７内に位置させ、また、可動体８の操作部８ａを操作すると、可動体８は先端楔部８ｂが間隙７から離れるように回動することができる。前記内枠２を上動するときには、可動体８は回動中心８ｃを軸心に回転動作を行い、先端楔部８ｂが間隙７から緩み可動体８に先端楔部８ｂが存在しても内枠２の上動に対して抵抗とならない。内枠２が下動しようとすると、可動体８はその自重で前記と逆方向への回転動作を行い、先端楔部８ｂが間隙７を構成する内枠２に押し付けられる方向に動き、可動体８の一部が楔状になって間隙７に食い込む為に内枠２は下動することができなくなる。また、可動体８に設けられた操作部８ａを押せば可動体８は回動中心８ｃを支軸として回動でき、先端楔部８ｂが内枠２から離れて内枠２は自由に上下動することができる。
【００２７】
このように可動体８は回動中心８ｃを支軸として回動できるから、先端楔部８ｂが強く間隙７に嵌合していても、操作部８ａを押せば「てこの原理」を応用している為、固く食い込んだ可動体８も楽に解除することが可能となり、簡単に内枠２をフリーとすることができるから、可動体８の取り扱いが非常に簡単になった。
【００２８】
【発明の効果】
従来の内枠２は固定手段６のみによって固定される為、持ち上げた内枠２は手を離した時点で自重により元の位置に縮むものであったが、この発明では横桟５の端とスライドする内枠２との間に生じる間隙７内に先端を位置して出入り自在となる可動体８を設けたから、可動体８は内枠２の上動に対して抵抗とならず、また、下動に対して可動体８は楔状になって間隙７に食い込んで内枠２の下動を停止して上昇位置に仮止めされるから、内枠２を手で支えて固定する必要が無くなり両手で作業を行なうことができるようになった。また、作業環境が整っていない場合等での作業時においても、せっかく伸ばした内枠２が緩んだりガタついたりすることがなくなった。また、仮止めとはいえその後は固定手段６によって固定するから窓枠全体をよりしっかりと固定する事が出来、安全面での向上も図ることが可能になった。
【００２９】
横桟５と内枠２との間の間隙７に可動体８の先端楔部８ｂが食い込むことで、持ち上げられた内枠２が固く固定されて降下することはなく、また、この間隙７に食い込んだ可動体８の先端楔部８ｂを離開方向へ操作する操作部８ａを設けたことから、固く固定された可動体８をワンアクションでより簡単に解除できると共に、任意の箇所で操作部８ａから指を離すことにより、即時に内枠２を再度固定することを可能とし、作業性の向上を図ると共に可動体８の実用性の向上も図ることが出来る。
【００３０】
また、可動体８の先端楔部８ｂの下部を間隙７より狭く上部を広くしたから、形状が非常に簡素であるにも係わらず確実に間隙７に食い込んで楔効果を果たし、可動体８は弾性素材で形成されたから間隙７との間に一層隙間を生じることなく入り込み、より楔形状の効果を上げることを可能にしている。また、可動体８は上下方向への動きとなるため部品サイズを小さく出来ることから外観的にも極端に目立つことが無く窓用空気調和機Ａのデザインを損なうことが無い。
【００３１】
更に、先端楔部８ｂと操作部８ａを設けた可動体８に回動中心８ｃを形成し、横桟５の両端に回動中心８ｃを支えるブラケット５ａを形成したから、操作部８ａを押すことによって「てこの原理」を応用して固く食い込んだ可動体８の先端楔部８ｂを楽に解除することが可能となり、ワンアクションで内枠２のロックが解かれるようになった。このため、固定されていた内枠２を簡単にスライド下降させることができると共に、任意の箇所で操作部８ａから指を離すことにより、その位置で内枠２を再度固定することが可能になった。
【図面の簡単な説明】
【図１】この発明の実施例を示す窓用空気調和機の取付け枠の正面図である。
【図２】図１の実施例に対応する要部拡大した側断面図である。
【図３】図１の実施例に対応する要部の平断面図である。
【図４】この発明の実施例を示す窓用空気調和機及び取付け枠の正面図である。
【図５】この発明の他の実施例を示す取付け枠の要部拡大した側断面図である。
【符号の説明】
Ａ    窓用空気調和機
Ｂ    四角枠
Ｃ    装着枠
１    外枠
２    内枠
３    縦枠
４    横枠
５    横桟
５ａ  ブラケット
６    固定手段
７    間隙
８    可動体
８ａ  操作部
８ｂ  先端楔部
８ｃ  回動中心
【図１】
2005024125.tif 000003
【図２】
2005024125.tif 000004
【図３】
2005024125.tif 000005
【図４】
2005024125.tif 000006
【図５】
2005024125.tif 000007